【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】光源手段と、前記光源手段から出射した光束を偏向する偏向素子と、前記偏向素子によって偏向された光束を被走査面上に導光する光学手段とを有し、前記光学手段は少なくとも１つの屈折光学素子を有する屈折部と少なくとも１つの回折光学素子を有する回折部とを含んで構成される走査光学装置であって、
該被走査面上への光束の照射位置を調整するために、前記回折光学素子は、光軸を中心にした回動方向、もしくは前記回折光学素子の長手方向に沿った軸を中心にした回動方向の少なくともどちらか一方向に変位可能であることを特徴とする走査光学装置。
【請求項２】前記回折光学素子の変位方向は、光軸を中心にした回動方向と、前記回折光学素子の長手方向に沿った軸を中心にした回動方向とを有し、前記回折光学素子はこれら２つの方向にはそれぞれ独立に回動可能となるように構成されていることを特徴とする請求項１に記載の走査光学装置。
【請求項３】前記回折光学素子を光軸を中心に回動させることにより、該被走査面上における走査線の傾きを調整することを特徴とする請求項１または２に記載の走査光学装置。
【請求項４】前記回折光学素子を前記回折光学素子の長手方向に沿った軸を中心に回動させることにより、該被走査面上における走査線の曲がりを調整することを特徴とする請求項１乃至３のいずれか1項に記載の走査光学装置。
【請求項５】光源手段と、前記光源手段から出射した光束を偏向する偏向素子と、前記光源手段から出射した光束を被走査面上に導光する光学手段とを有し、前記光学手段は少なくとも１つの屈折光学素子を有する屈折部と少なくとも１つの回折光学素子を有する回折部とを含んで構成される走査光学装置であって、
前記屈折部と前記回折部の少なくとも一方は、主走査方向に対して平行方向、もしくは前記偏向素子を中心にして該主走査方向に回動方向に変位可能であることを特徴とする走査光学装置。
【請求項６】前記偏向素子と前記屈折部は同じユニットで構成されており、前記屈折部が変位すると、前記偏向素子も変位することを特徴とする請求項５に記載の走査光学装置。
【請求項７】前記回折光学素子は前記走査光学装置を構成する他の光学素子とは別ユニットで構成されていることを特徴とする請求項１乃至６のいずれか1項に記載の走査光学装置。
【請求項８】前記回折光学素子は主走査方向と副走査方向とで互いに異なるパワーを有することを特徴とする請求項１乃至７のいずれか１項に記載の走査光学装置。
【請求項９】前記屈折部は主走査方向と副走査方向とで互いに異なるパワーを有するプラスチック製のトーリックレンズを有していることを特徴とする請求項１乃至８のいずれか1項に記載の走査光学装置。
【請求項１０】請求項１乃至９のいずれか1項に記載された走査光学装置と、前記走査光学装置によって走査される該被走査面上に配置された像担持体との組を複数有することを特徴とするカラー画像形成装置。
【請求項１１】レジストレーションを検出する検出手段からの信号に基づいて、前記回折光学素子の位置を変化させることを特徴とする請求項１０に記載のカラー画像形成装置。
【手続補正２】
【補正対象書類名】明細書
【補正対象項目名】００１３
【補正方法】変更
【補正の内容】
【００１３】
【課題を解決するための手段】
請求項１の発明の走査光学装置は、光源手段と、前記光源手段から出射した光束を偏向する偏向素子と、前記偏向素子によって偏向された光束を被走査面上に導光する光学手段とを有し、前記光学手段は少なくとも１つの屈折光学素子を有する屈折部と少なくとも１つの回折光学素子を有する回折部とを含んで構成される走査光学装置であって、
該被走査面上への光束の照射位置を調整するために、前記回折光学素子は、光軸を中心にした回動方向、もしくは前記回折光学素子の長手方向に沿った軸を中心にした回動方向の少なくともどちらか一方向に変位可能であることを特徴としている。
【手続補正３】
【補正対象書類名】明細書
【補正対象項目名】００１４
【補正方法】変更
【補正の内容】
【００１４】
請求項２の発明は請求項１の発明において、前記回折光学素子の変位方向は、光軸を中心にした回動方向と、前記回折光学素子の長手方向に沿った軸を中心にした回動方向とを有し、前記回折光学素子はこれら２つの方向にはそれぞれ独立に回動可能となるように構成されていることを特徴としている。
【手続補正４】
【補正対象書類名】明細書
【補正対象項目名】００１５
【補正方法】変更
【補正の内容】
【００１５】
請求項３の発明は請求項１又は２の発明において、前記回折光学素子を光軸を中心に回動させることにより、該被走査面上における走査線の傾きを調整することを特徴としている。
【手続補正５】
【補正対象書類名】明細書
【補正対象項目名】００１６
【補正方法】変更
【補正の内容】
【００１６】
請求項４の発明は請求項１乃至３のいずれか１項の発明において、前記回折光学素子を前記回折光学素子の長手方向に沿った軸を中心に回動させることにより、該被走査面上における走査線の曲がりを調整することを特徴としている。
【手続補正６】
【補正対象書類名】明細書
【補正対象項目名】００１７
【補正方法】変更
【補正の内容】
【００１７】
請求項５の発明の走査光学装置は、光源手段と、前記光源手段から出射した光束を偏向する偏向素子と、前記光源手段から出射した光束を被走査面上に導光する光学手段とを有し、前記光学手段は少なくとも１つの屈折光学素子を有する屈折部と少なくとも１つの回折光学素子を有する回折部とを含んで構成される走査光学装置であって、
前記屈折部と前記回折部の少なくとも一方は、主走査方向に対して平行方向、もしくは前記偏向素子を中心にして該主走査方向に回動方向に変位可能であることを特徴としている。
【手続補正７】
【補正対象書類名】明細書
【補正対象項目名】００１８
【補正方法】変更
【補正の内容】
【００１８】
請求項６の発明は請求項５の発明において、前記偏向素子と前記屈折部は同じユニットで構成されており、前記屈折部が変位すると、前記偏向素子も変位することを特徴としている。
【手続補正８】
【補正対象書類名】明細書
【補正対象項目名】００１９
【補正方法】変更
【補正の内容】
【００１９】
請求項７の発明は請求項１乃至６のいずれか１項の発明において、前記回折光学素子は前記走査光学装置を構成する他の光学素子とは別ユニットで構成されていることを特徴としている。
【手続補正９】
【補正対象書類名】明細書
【補正対象項目名】００２０
【補正方法】変更
【補正の内容】
【００２０】
請求項８の発明は請求項１乃至７のいずれか１項の発明において、前記回折光学素子は主走査方向と副走査方向とで互いに異なるパワーを有することを特徴としている。
【手続補正１０】
【補正対象書類名】明細書
【補正対象項目名】００２１
【補正方法】変更
【補正の内容】
【００２１】
請求項９の発明は請求項１乃至８のいずれか１項の発明において、前記屈折部は主走査方向と副走査方向とで互いに異なるパワーを有するプラスチック製のトーリックレンズを有していることを特徴としている。
【手続補正１１】
【補正対象書類名】明細書
【補正対象項目名】００２２
【補正方法】変更
【補正の内容】
【００２２】
請求項１０の発明のカラー画像形成装置は、請求項１乃至９のいずれか1項に記載された走査光学装置と、前記走査光学装置によって走査される該被走査面上に配置された像担持体との組を複数有することを特徴としている。
【手続補正１２】
【補正対象書類名】明細書
【補正対象項目名】００２３
【補正方法】変更
【補正の内容】
【００２３】
請求項１１の発明は請求項１０の発明において、レジストレーションを検出する検出手段からの信号に基づいて、前記回折光学素子の位置を変化させることを特徴としている。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】